(57)【要約】【課題】  土砂が開口部から本体内に進入することを防止しつつ、長靴内を蒸れの少ない快適な環境に維持することができる長靴を提供する。【解決手段】  長靴１０は、本体１１の胴部１２の開口部１３に設けられた土砂防止部１４が透水性のあるものであるから、着用者の脚と胴部１２の間を土砂防止部１４で覆って土砂の侵入を防止する状態における通気性が、防水性素材により覆った場合よりも良好であり、長靴１０内を蒸れの少ない快適な環境に維持することが可能となる。【選択図】  図１
0003183759.tif 000002
【実用新案登録請求の範囲】
【請求項１】
本体と、前記本体の胴部の開口部に設けられた透水性のある土砂防止部とを備えた長靴。
【請求項２】
前記土砂防止部は、メッシュ布よりなるものである請求項１に記載の長靴。
【請求項３】
前記土砂防止部は、前記メッシュ布が二重に設けられたものである請求項２に記載の長靴。
【請求項４】
前記土砂防止部の全体に紐を通過させる紐通路が形成されている請求項３に記載の長靴。
【請求項５】
前記メッシュ布に設けられた取出孔を備えており、
前記紐通路を略一周する紐の両端が前記取出孔から前記紐通路の外に出たものである請求項４に記載の長靴。
【請求項６】
前記取出孔が前記メッシュ布の折り返し端の近傍に設けられたものである請求項５に記載の長靴。
【考案の詳細な説明】
【技術分野】
【０００１】
本考案は、田畑で行う農作業、造園、園芸庭造りなどにおいて着用する長靴に関する。
【背景技術】
【０００２】
従来、農作業の現場などにおいて、開口部に覆いを取り付けた長靴が使用されている（たとえば、特許文献１、２）。
特許文献１には、子供でも簡単に脱ぎ履きすることができるよう、必要に応じて装着できる分離可能な足覆を備えた足覆付長靴が記載されている。
特許文献２には、覆いが取り付けられた長靴の履き心地の改善を目的として、覆い本体の開口部に近接する箇所にその全体にわたって延びるクッションテープが設けられた長靴が記載されている。
【先行技術文献】
【特許文献】
【０００３】
【特許文献１】特開平８−３８２０３号公報
【特許文献２】特開２０１３−４２９７５号公報
【考案の概要】
【考案が解決しようとする課題】
【０００４】
上記特許文献１、２に記載の長靴はいずれも、開口部から水が入り込むことを防止するため、覆い部には防水性の素材が用いられている。このため、晴れた日における農作業や園芸庭造り（ガーデニング）において、開口部の隙間すなわち胴部と脚の間を覆って土砂が長靴内に入ることを防止すると、長靴の内部が蒸れてしまうという問題がある。
本考案は、開口部から土砂が入り込むことを防止しつつ、長靴内を蒸れの少ない快適な環境に維持することができる長靴の提供を目的とする。
【課題を解決するための手段】
【０００５】
請求項１に記載の考案は、本体と、前記本体の胴部の開口部に設けられた透水性のある土砂防止部とを備えた長靴である。
「透水性」とは、しみとおること、あるいは隙間をすり抜けることにより水が通過可能な性質をいう。
請求項２に記載の考案は、請求項１に記載の考案において、前記土砂防止部はメッシュ布よりなるものである。
「メッシュ布」とは、網目織の布をいい、網目を水が通過可能なものである。
請求項３に記載の考案は、請求項２に記載の考案において、前記土砂防止部は、前記メッシュ布が二重に設けられたものである。
請求項４に記載の考案は、請求項３に記載の考案において、前記土砂防止部の全体に紐を通過させる紐通路が形成されたものである。
請求項５に記載の考案は、請求項４に記載の考案において、前記メッシュ布に設けられた取出孔を備えており、前記紐通路を略一周する紐の両端が前記取出孔から前記紐通路の外に出たものである。
請求項６に記載の考案は、請求項５に記載の考案において、前記取出孔が前記メッシュ布の折り返し端の近傍に設けられたものである。
「折り返し端の近傍」とは、前記メッシュ布の胴部に接合している側の端よりも折り返し端に近い位置をいう。
【考案の効果】
【０００６】
本考案の長靴は、土砂防止部がメッシュ布などのような透水性のある素材により構成されているから、土砂の侵入を防ぎつつ、長靴内部と外部の通気性を良好にして長靴内部を蒸れの少ない快適な環境に維持することが可能になる。
【図面の簡単な説明】
【０００７】
【図１】第１の実施形態に係る長靴の側面図
【図２】図１の長靴の正面図
【図３】土砂防止部の構造を模式的に示す図１のＡＡ矢視断面図
【図４】第１の実施形態に係る長靴の土砂防止部の紐を緩めた状態を示す平面図
【図５】第１の実施形態に係る長靴の土砂防止部の紐を締めた状態を示す平面図
【図６】第２の実施形態に係る長靴の側面図
【図７】長靴の土砂防止部の構造を模式的に示す図６のＢＢ矢視断面図
【図８】第２の実施形態に係る長靴の土砂防止部の紐を締めた状態を示す平面図
【考案を実施するための形態】
【０００８】
以下、本考案の実施形態について、図面を参照して説明する。
〔第１の実施形態〕
図１および図２は、第１の実施形態に係る長靴の土砂防止部を開けた状態を示す側面図および正面図である。これらの図に示すように、本実施形態の長靴１０は、本体１１と、本体１１の胴部１２の開口部１３に設けられた透水性のある土砂防止部１４とを備えている。土砂防止部１４には紐１５を通すための紐通路１６が設けられており、紐１５は取出孔１７から取り出された部分の長さを調整するための紐ストッパー１８を備えている。
【０００９】
図３は、土砂防止部の構造を模式的に示す図１のＡＡ矢視断面図である。同図に示すように、土砂防止部１４の開口部１３側の端には、紐１５を通すための筒状の紐通路１６が形成されている。
【００１０】
図４は、実施形態に係る長靴の土砂防止部の紐を緩めた状態を示す平面図である。同図に示すように、紐１５は、紐通路１６を通って、長靴１０を着用した状態において着用者の脚を取り巻くように配置されている。取出孔１７から紐通路１６内にある紐１５の両端を引出し、紐ストッパー１８により固定して締めることにより、着用者の脚と胴部１２との間の隙間を土砂防止部１４により覆うこと、すなわち、着用者の脚と開口部１３との間に隙間が生じることを防止できる。
【００１１】
図５は、本実施形態に係る長靴１０の土砂防止部１４の紐１５を締めた状態を示す平面図である。同図に示すように、紐１５を締めた状態すなわち紐通路１６の紐１５を取出孔１７から引き出した状態を、紐ストッパー１８によって固定する。これにより、本体１１の胴部１２と着用者の脚との隙間を土砂防止部１４により覆って、当該隙間から本体１１内に土砂が入ることを防止できる。なお、紐ストッパー１８の位置の調整により、開口部１３を着用者の脚の太さに適合させることができる。
【００１２】
従来、胴部１２と脚との隙間を覆う覆い部として防水性素材が用いられていたが、本実施形態の長靴１０は、特に土砂の侵入を防止することを目的として、土砂防止部１４として透水性素材を用いている。透水性のある素材を用いることにより、防水性のある素材を用いた場合よりも通気性を向上させることができる。特に、土砂防止部１４として、網目状に編まれたメッシュ布を用いることで、土砂防止部１４の通気性が非常に良好となる。メッシュ布の網目の大きさは、想定される使用状態における土砂防止効果と通気性とを考慮して、用途に応じて適宜設定すればよい。
【００１３】
以上のように、本実施形態の長靴１０は、防水性素材ではなく透水性のあるメッシュ布を土砂防止部１４として用いている。これにより、胴部１２と脚との間を覆って土砂の本体１１内への侵入を防止する際、土砂防止部１４の通気性が良好になるから、蒸れを防止して長靴１０内の環境を快適に維持することが可能となる。
【００１４】
〔第２の実施形態〕
本実施形態では、メッシュ布が二重に設けられた土砂防止部を備えた構成において、第１の実施形態とは異なる長靴について説明する。
【００１５】
図６は本実施形態に係る長靴の側面図であり、図７は長靴の土砂防止部の構造を模式的に示す図６のＢＢ矢視断面図である。
図６に示すように、本実施形態の長靴２０の土砂防止部２４はメッシュ布が二重に設けられたものである。同じメッシュ布を用いた場合、二重とすることにより一重のものよりも土砂の侵入を効果的に抑制することができる。また、土砂防止部２４の外側を通過し、土砂防止部２４内の紐通路２６内に保持された土砂は、土砂防止部２４を水洗いすることにより、容易に取り除くことができる。
【００１６】
土砂防止部２４は、その全体に紐１５を通過させる紐通路２６が形成されている。このため、例えば、一枚のメッシュ布を折り返した状態で、重ねた両端２４ａの近傍２４ｂにおいて胴部１２に縫い付けることにより、同時に紐通路２６も形成することができる。これに対し、第１の実施形態の長靴１０を構成する土砂防止部１４では、紐通路１６が土砂防止部１４の一部に形成されているから、土砂防止部１４を胴部１２に取り付ける工程とは別に、紐通路１６を形成する工程が必要となる。
【００１７】
このように、土砂防止部２４の全体に紐通路２６を形成する構成により、土砂防止部２４を二重として土砂の侵入を抑制するとともに、製造工程を少なくすることが可能となる。
【００１８】
図６に示すように、取出孔２７は、土砂防止部２４を構成するメッシュ布の折り返し端２４ｃの近傍に設けられている。このため、紐１５および土砂防止部２４として適切な素材を組みあわせれば両者の摩擦により、土砂防止部２４の前方のみではなくその全体にわたって、紐１５を折り返し端２４ｃ付近に保持することができる。ただし、紐通路２６内における紐１５を保持する位置は、上記の位置に限られるものではない。
【００１９】
図８は、本実施形態に係る長靴の土砂防止部の紐を締めた状態を示す平面図である。同図に示すように、取出孔２７を折り返し端２４ｃの近傍に設けていることから、設紐１５を締めれば、紐１５が紐通路２６の内側に沿って位置し、図５に示した第１の実施形態の長靴１０と同様になる。このため、本体１１の胴部１２と着用者の脚との隙間を土砂防止部２４により覆って、当該隙間から本体１１内に土砂が入ることを防止できる。
【産業上の利用可能性】
【００２０】
本考案によれば、開口部からの土砂の侵入を防止しつつ、長靴内を蒸れの少ない快適な状況に維持することができるから、農作業やガーデニング用の長靴として好適に利用できる。
【符号の説明】
【００２１】
１０  ２０  長靴
１１  本体
１２  胴部
１３  開口部
１４、２４  土砂防止部
１５  紐
１６、２６  紐通路
１７、２７  取出孔
１８  紐ストッパー
２４ｃ  折り返し端
【図１】
0003183759.tif 000003
【図２】
0003183759.tif 000004
【図３】
0003183759.tif 000005
【図４】
0003183759.tif 000006
【図５】
0003183759.tif 000007
【図６】
0003183759.tif 000008
【図７】
0003183759.tif 000009
【図８】
0003183759.tif 000010